(57)【要約】      （修正有）【課題】制御監視システム移行には無停止や無事故などの厳しい要求条件に加え、操作者のシステム移行への対応が非常に重要な課題となる。【解決手段】操作画面を表示する第１の端末１０１と、第１の端末と異なる画面表示および操作体系である第２の端末１０２と、第１の端末と、前記第２の端末に接続され、監視対象機器の操作を、第１の端末と第２の端末のそれぞれに対応させるための画面操作対応情報により、第１の端末の操作を第２の端末に表示させる支援装置１０３とを有する。【選択図】図１
2016149033.tif 000002
【特許請求の範囲】
【請求項１】
操作画面を表示する第１の端末と、
前記第１の端末と異なる画面表示および操作体系である第２の端末と、
前記第１の端末と、前記第２の端末に接続され、監視対象機器の操作を、前記第１の端末と前記第２の端末のそれぞれに対応させるための画面操作対応情報により、前記第１の端末の操作を前記第２の端末に表示させる支援装置と、
を有する移行支援システム。
【請求項２】
請求項１に記載の移行支援システムであって、
前記支援装置は、前記第１の端末と前記第２の端末の操作である実行操作処理と、想定される処理を記録した想定操作処理を格納し、
前記実行操作処理と想定操作処理が等しいか判断する移行支援システム。
【請求項３】
請求項２に記載の移行支援システムであって、
前記監視対象機器からの状態変化により、前記画面操作対応情報に基づき、前記第１の端末と前記第２の端末の操作に変換し、
前記変換した結果を前記操作処理に追加し、
前記第１の端末と前記第２の端末に表示要求する移行支援システム。
【請求項４】
請求項３に記載の移行支援システムであって、
前記監視対象機器と、前記移行支援装置と接続され、前記監視対象機器から定期的に計測値を収集し、前記計測値または、前記計測値から算出される推定値に基づき、前記状態変化を検知し、前記移行支援装置に状態表示要求を送信する制御監視装置を有する移行支援システム。
【請求項５】
請求項４に記載の移行支援システムであって、
前記第１の端末は、操作を検知した場合、前記支援装置に検知結果を送信し、
前記検知結果を受信した前記支援装置は、前記画面操作対応情報から前記第２の端末に対応する画面表示に変換し、
前記実行操作処理に前記検知結果を登録し、
前記第２の端末に表示要求を送信し、
前記制御監視装置に操作要求を送信する移行支援システム
【請求項６】
移行支援システムの移行支援方法において、
第１の端末により、操作画面を表示し、
前記第１の端末と異なる操作体系である第２の端末により、前記第１の端末と異なる画面表示し、
支援装置により、監視対象機器の操作を、前記第１の端末と前記第２の端末のそれぞれに対応させるための画面操作対応情報に基づき、前記第１の端末の操作を前記第２の端末に表示させる
移行支援方法。
【請求項７】
請求項６に記載の移行支援方法であって、
前記支援装置は、前記第１の端末と前記第２の端末の操作である実行操作処理と、想定される処理を記録した想定操作処理を格納し、
前記実行操作処理と想定操作処理が等しいか判断する移行支援方法。
【請求項８】
請求項７に記載の移行支援方法であって、
前記監視対象機器からの状態変化により、前記画面操作対応情報に基づき、前記第１の端末と前記第２の端末の操作に変換し、
前記変換した結果を前記操作処理に追加し、
前記第１の端末と前記第２の端末に表示要求する移行支援方法。
【請求項９】
請求項８に記載の移行支援方法であって、
制御監視装置により、前記監視対象機器から定期的に計測値を収集し、前記計測値または、前記計測値から算出される推定値に基づき、前記状態変化を検知し、前記移行支援装置に状態表示要求を送信する移行支援方法。
【請求項１０】
請求項９に記載の移行支援方法であって、
前記第１の端末は、操作を検知した場合、前記支援装置に検知結果を送信し、
前記検知結果を受信した前記支援装置は、前記画面操作対応情報から前記第２の端末に対応する画面表示に変換し、
前記実行操作処理に前記検知結果を登録し、
前記第２の端末に表示要求を送信し、
前記制御監視装置に操作要求を送信する移行支援方法。
【発明の詳細な説明】
【技術分野】
【０００１】
本発明は、制御監視システムのユーザインタフェース制御システムに関わる。
【背景技術】
【０００２】
工場、鉄道、水道、電力などの分野で用いる制御監視システムは、システムを使用するユーザの要望に会わせ、機能要件、非機能要件を詳細化し、専用品として開発してきた。
【０００３】
しかし、近年では、機能や性能よりも、開発費用や開発期間が重要視され、従来の専用品としての開発は忌避する傾向が高まっている。
【０００４】
世界的には、制御監視システムの構成自体を標準化する動きが加速しており、従来の専用品としての開発から、標準化に対応した汎用品を組合せて提供することがほぼ確実視できる。
【０００５】
制御監視システムは機器の寿命などから10年から15年単位で交換する。今後は多くの制御監視システムは汎用品を組合せて提供するシステムへ移行が進むと考える。
【０００６】
一般的にシステム移行では無停止や無事故などの厳しい機能および性能条件が要求されるが、操作者のシステム移行への対応が非常に重要な課題となる。
【０００７】
なぜなら制御監視システムでは操作者もシステムの一部であり、上記と同様な要件が課せられるためである。このために操作者の訓練を含む教育が重要である。
【０００８】
このような操作者の教育手法として操作者の教育レベルを均質化する統合教育システムが（特許文献１参照）が提案されている。
【先行技術文献】
【特許文献】
【０００９】
【特許文献１】特開平11-363424号公報
【発明の概要】
【発明が解決しようとする課題】
【００１０】
一般的に制御監視システム、特に社会インフラを支える電力などの制御の運用は、その公共性から厳格な運用操作が要求される。この理由は簡易な誤作動で、停電などの大事故を発生させる可能性があるためである。
【００１１】
制御監視システムでは機器寿命などから10年から15年単位で一斉に交換する。新システムも旧システムと同様な厳格な運用操作が要求される。
【００１２】
制御監視システム移行には無停止や無事故などの厳しい要求条件に加え、操作者のシステム移行への対応が非常に重要な課題となる。
【００１３】
操作者は旧システムを運用しながら、新システムの教育、訓練を行わなければならず、その負担は大きい。特に膨大なマニュアルを読み、その操作の意義を理解し、なおかつ誤動作させてはならない。
【００１４】
加えて操作者は多くの場合で遅延操作が原則として許容されない。この理由は操作者も制御監視システムの構成要素とみなしており、問題発生から操作者が規定の時間内に操作を完了する必要があるためである。
【００１５】
また、旧システムから新システムの以降は、一斉同時に行わなければならず、その対応時の混乱が発生した場合は、最悪の場合は、大事故を発生させる可能性がある。
【００１６】
以上の理由から操作者のシステム移行への対応が非常に重要となる。前記特許文献１では教育レベルを一定化するが、システム移行に関わる教育の重要性や教育期間の短縮化を考慮していない。
【課題を解決するための手段】
【００１７】
上記課題を解決するために、操作画面を表示する第１の端末と、第１の端末と異なる画面表示および操作体系である第２の端末と、第１の端末と、前記第２の端末に接続され、監視対象機器の操作を、第１の端末と第２の端末のそれぞれに対応させるための画面操作対応情報により、第１の端末の操作を第２の端末に表示させる支援装置とを有する。
【発明の効果】
【００１８】
本発明によれば、事前に膨大なマニュアルを読むことなく、特別な訓練用シミュレータなどの練習を行うことなく、新システムと旧システムの操作の意義および操作の差を理解することが可能である。
【００１９】
上記した以外の課題、構成及び効果は、以下の実施形態の説明により明らかにされる。
【図面の簡単な説明】
【００２０】
【図１】実施例１に係るシステム構成図である。
【図２】実施例１に係るシステム１の画面構成図である。
【図３】実施例１に係るシステム２の画面構成図である。
【図４】実施例１に係るシステム１とシステム２の操作変換に必要なシステム１の操作手順表である。
【図５】実施例１に係るシステム１とシステム２の操作変換に必要なシステム２の操作手順表である。
【図６】実施例１に係る習熟度を判定するために用いる操作を記録した習熟度判定記録表である。
【図７】実施例１に係る制御機能が主体となる場合の処理シーケンス図である。
【図８】実施例１に係る操作者が主体となる場合の処理シーケンス図である。
【図９】実施例１に係るシステム移行の習熟度を判定する操作記録保存解析機能のフローチャート図である。
【図１０】実施例２に係るシステム構成図である。
【発明を実施するための形態】
【実施例１】
【００２１】
以下、図面を参照し本発明に係るいくつかの実施の形態のシステムの移行支援装置およびシステムを説明する。
【００２２】
図１に、本実施例に係るシステム構成例を示す。本実施例のシステムは、制御監視システムとして制御機能を提供する制御監視装置１０４、制御監視システムの新システムであるシステム１の画面および操作を提供するシステム１の表示操作端末１０１、制御監視システムの旧システムであるシステム２の画面および操作を提供するシステム２の表示操作端末１０２、システム１およびシステム２の画面および操作の変換を行うシステム移行支援装置１０３で構成する。制御監視装置１０４、システム１の表示操作端末１０１、システム２の表示端末１０２、システム移行支援装置１０３は、それぞれネットワーク１０５を介して接続されている。
【００２３】
制御監視装置１０４は、中央演算装置１４３、メモリ１４５、および記憶装置１４４を備える。制御監視装置１０４が有する各種プログラムは、記憶装置１４４に記憶されており、必要に応じてメモリ１４３を介して中央演算装置１４３に読み込まれ実行される。制御監視装置１０４は、通信入出力装置１４１を介して、ネットワーク１０５に接続されている。
【００２４】
制御対象機器１０６は、制御監視装置１０４によって、制御を監視される機器とである発電所内部の発電設備等のインフラ機器やその他、制御対象なる機器であればよい。
【００２５】
記憶装置１４４には、制御監視機能１４５がプログラムとして記憶されている。また制御監視機能に必要な各種データである制御監視用データベース１４６に記憶されている。なお制御監視機能１４５は一般的な制御監視システムで提供される機能と同様である。
【００２６】
システム１の表示操作端末１０１は、中央演算装置１１３、メモリ１１４、および記憶装置１１５を備える。システム１の表示操作端末１０１が有する各種プログラムは、記憶装置１１５に記憶されており、必要に応じてメモリ１１４を介して中央演算装置１１３に読み込まれ実行される。システム１の表示操作端末１０１は、通信入出力装置１１１を介して、ネットワーク１０５に接続されている。また、システム１の表示操作端末１０１は、操作入出力装置１１５を介して、マウスやキーボードやディスプレイなどに接続されている。
【００２７】
記憶装置１１５には、画面表示機能１１７や入出力操作機能１１６がプログラムとして記憶されている。入出力操作機能１１６は操作入出力装置１１５を介してマウスやキーボードやディスプレイ信号を入出力する。画面表示機能１１７は通信入力装置１１１を介して受信した画像表示用メッセージに基づき画面を表示し、操作入出力装置１１５介して受信した操作信号に基づき画面を再度表示し、通信入力装置１１５を介して操作結果を画像表示用メッセージとして出力する。
【００２８】
システム２の表示操作端末１０２は、中央演算装置１２３、メモリ１２４、および記憶装置１２５を備える。システム２の表示操作端末１０２が有する各種プログラムは、記憶装置１２５に記憶されており、必要に応じてメモリ１２４を介して中央演算装置１２３に読み込まれ実行される。システム２の表示操作端末１０２は、通信入出力装置１２１を介して、ネットワーク１０５に接続されている。また、システム２の表示操作端末１０２は、操作入出力装置１２５を介して、マウスやキーボードやディスプレイなどに接続されている。
【００２９】
記憶装置１２５には、画面表示機能１２７や入出力操作機能１２６がプログラムとして記憶されている。入出力操作機能１２６は操作入出力装置１２５を介してマウスやキーボードやディスプレイ信号を入出力する。画面表示機能１２７は通信入力装置１２１を介して受信した画像表示用メッセージに基づき画面を表示し、操作入出力装置１２５を介して受信した操作信号に基づき画面を再度表示し、通信入力装置１２５を介して操作結果を画像表示用メッセージとして出力する。
【００３０】
システム移行支援装置１０３は、中央演算装置１３３、メモリ１３４、および記憶装置１３５を備える。システム移行支援装置１０３が有する各種プログラムは、記憶装置１３５に記憶されており、必要に応じてメモリ１３４を介して中央演算装置１３３に読み込まれ実行される。システム移行支援装置１０３は、通信入出力装置１３１を介して、ネットワーク１０５に接続されている。また、システム移行支援装置１０３は、操作入出力装置１３５を介して、マウスやキーボードやディスプレイなどに接続されている。
【００３１】
記憶装置１３５は、操作変換機能１３６や操作記録保存解析機能１３８がプログラムとして記憶されている。また操作変換機能１３６で用いる操作手順表１３７、および操作記録保存解析機能１３８が用いる操作記録１３９が記憶されている。
【００３２】
なお本例では、制御監視装置１０４、システム１の表示操作端末１０１、システム２の表示端末１０２、システム移行支援装置１０３は、別の装置として記載したが、すべて同じ装置であっても良い。
【００３３】
図２に、システム１（新システム）の表示操作端末１０１が表示する新システムの画面２０１の一例を示す。システム１の画面２０１は、制御監視を行う対象の全体図２１１、対象機器の現在の状態を数値で表記する個別数値情報２１２および２１３、表示する状態を選択するプルダウン選択２１４、プルダウン選択２１４で選択できる選択候補である「手動更新」２１５、プルダウン選択２１４で選択できる選択候補で実際に選択した「自動更新」２１６、プルダウン選択２１４で選択したものを最終的に実行する「選択」ボタン２１７、「復帰」ボタン２１８、緊急ボタン２１９、で構成されている。
【００３４】
図３に、システム２（旧システム）の表示操作端末１０２が表示する旧システムの画面３０１の一例を示す。システム２の画面３０１は、制御監視を行う対象の全体図３１１、機器の現在の状態を表示するメッセージ数値情報欄３１２、制御監視システムからの注意喚起や操作者の操作に対する結果をメッセージ表記するシステムメッセージ情報欄３１３、「確認」ボタン３１４、「開始」ボタン３１５、「停止」ボタン３１６、「復帰」ボタン３１７、「更新」ボタン３１８、「緊急」ボタン３１９、で構成されている。
【００３５】
新システムの画面表示である図２と旧システムの画面表示である図３を隣接して表示することで操作者に両者の差、動作の差の理解を促進する。
【００３６】
図２、図３ともに全体図２１２、全体図３１２があるが、機器の情報表記の方法が異なる。図２では対象機器に表記している２１２、２１３が、図３ではメッセージボックス上に表記している（３１２）。
【００３７】
また図２では対象機器が情報取得の方法が異なる。図２では、プルダウン２１４で選択し、その後、ボタン２１７を押して決定するが、図３ではボタン３１４を押下するだけである。
【００３８】
図２の新システムの画面２０１で操作した場合は、同様の操作が旧システムの画面３０１でも表記される。また旧システムの画面３０１で操作した場合も、同様の操作が新システムの画面２０１で表記される。操作者は、両者の差を確認して直感的にシステム操作の移行や場合によっては旧システムのままで操作することで、システム移行を効果的に実施できる。
【００３９】
図４および図５は、それぞれ、新システム向け操作手順表１３７ａと旧システム向け操作手順表１３７ｂの一例を示す。新システム向け操作手順表１３７ａと旧システム向け操作手順表１３７ｂを併せて、操作手順表１３７とよぶ。操作手順表１３７は、操作対象としているシステムを表すシステム名４０１および５０１、対象とする制御監視システムで行う制御監視向け操作手順の種別を表す操作処理ＩＤ４０３および５０３、その日本語名称である操作名４０５および５０５で構成される。
【００４０】
さらに具体的な操作手順とその区別を示す操作手順ＩＤ４０７および５０７、操作を行う画面表示の部品を示す操作対象ＩＤ４０８および操作対象ＩＤ５０８、その部品の画面での基準位置を表す起点位置４０９および起点位置５０９、操作対象の日本語名である操作対象名４１０および操作対象名５１０、操作対象に対してどの操作を行うのかを示す操作ＩＤ４１１および操作ＩＤ５１１、その操作の日本語名である操作名４１２および操作名５１２、どの操作したかを示す操作値４１３および操作値５１３が構成される。
【００４１】
図４と図５では共に同様の操作処理ＩＤ４０４および操作処理ＩＤ５０４で、同様の操作名４０５および操作名５０５であり、その操作の目的は同様である。
【００４２】
図４では情報取得のために、まずプルダウン選択で対象の項目を選択し、次いで決定ボタンを押下し、最後に、ホップアップで表示される確認ボタンを押下することで情報取得する例を示している。
【００４３】
一方、図５では情報取得のために、まずその専用のボタンを押下し、最後に、専用の確認ボタンを押下することで情報取得する例を示している。
【００４４】
図４および図５では処理目的は同様であるが、手順やその対象とするボタンの種類、配置、に基づき手順が異なる。しかしながら、監視制御システムでは、通知、取得、制御のように目的の細分化と操作分類が容易で、その数も限定可能なため、最終目的に基づく操作手順表１３７を作成可能である。
【００４５】
新システム向け操作手順表１３７a、旧システム向け操作手順表１３７ｂに基づき、システム移行支援装置１０３は、操作変換機能１３６により、対応する操作処理ＩＤが示す操作を、表示操作端末１０１または、表示操作端末１０２に送信する。本処理については図７、図８にて詳しく説明する。
【００４６】
図６に操作記録１３９の一例を示す。操作記録１３９は、操作した項目で分類するためのログＩＤ６０１、操作した時刻を示す時刻６０２、操作訓練時にシステム側で想定した処理種別を示す想定操作処理ＩＤ６０３、実際に操作した種別を示す実行操作処理ＩＤ６０４、実行操作処理ＩＤに紐づく操作手順である操作手順ＩＤ６０５で構成される。
【００４７】
なお操作記録１３９は、操作者ごとの分類を付加して記録する。また訓練時でない場合は想定操作処理ＩＤを付加しない。
【００４８】
想定操作処理ＩＤ６０３と実行操作処理ＩＤ６０４は、操作処理ＩＤ４０３および５０３と同様であり、また操作手順ＩＤ６０５は、操作手順ＩＤ４０７および５０７と同様である。
【００４９】
図６では、ログIDが100002から100003の間でシステム１に規定した操作内容とは完全に異なる操作内容を行い、ログIDが100004から1000005でシステム２での操作を行うことで想定処理と等しい処理を行い、この経験をもとにログIDが100006から100009の間ではシステム１で想定通りの操作が実行できたことを示している。
【００５０】
図６で示した操作記録１３９を解析活用処理の一例を図９で説明する。
【００５１】
図７にシステムの制御機能が起点となる場合の処理シーケンスを示す。制御機能が起点になるとは、制御監視システムでは、状態変化がある、もしくは状態変化を検知し、操作者への注意喚起や警告表示する場合である。以下の例では画面により喚起を促す例で説明する。
【００５２】
本処理シーケンスにおいて、制御監視機能１４４、操作変換機能１３６、操作記録保存解析機能１３８、画面表示機能１１７、入手力操作機能１１６、画面表示機能２１７、画面表示機能２１６、以上７種類の機能により、処理される。
【００５３】
まず、制御監視装置１０４は、制御監視機能１４４により、状態変化を確認する（Ｓ７０１）。状態変化は、定期的に収集する監視目的の計測値自身や計測値から算出結果から推定値を算出する。続いて、状態変化により操作者に画面による喚起が必要な場合は、画面表示機能に対し、状態表示要求を行う（Ｓ７０２）。
【００５４】
次に、システム移行支援装置１０３は、操作変換機能１３６により、状態変化要求を受信し、操作変換する（Ｓ７０３）。操作変換は、操作手順表１３７を検索し、システム１、システム２の操作手順表１３７ａと操作手順表１３７ｂを取得し、システム１を対象とした状態表示要求と同様のシステム２を対象とした状態表示要求を決定する。
【００５５】
次に、システム移行支援装置１０３は、操作変換機能１３６により、上記の検索結果および操作変換結果を操作記録保存解析機能１３８に引き渡され処理される、システム移行支援装置１０３は、操作記録保存解析機能１３８により、受信した結果を整理し変換処理記録を行う（Ｓ７０４）。なお、変換処理記録の例は、図６に示した通りである。
【００５６】
続いて、システム移行支援装置１０３は、操作変換機能１３６により、システム１の表示操作端末１０１にある画面表示機能１１７、システム２の表示操作端末１０２にあるシステム２画面表示機能２１７に、適切な情報を表示するように処理要求を行う（Ｓ７０５）。
【００５７】
最後に、先の処理要求に基づき、システム１の表示操作端末１０１は、システム１の画面表示機能１１７により、画面表示を行う（Ｓ７０６）。また、システム２の表示操作端末１０２は、システム２の画面表示機能２１７により、画面表示を行う（Ｓ７０７）。
【００５８】
図８にシステムの操作者が起点となる場合の処理シーケンスを示す。操作者が処理になるとは、制御監視システムでは、手動による情報取得、手動による設定や制御する場合である。なお、状態変化による制御機能からの警告表示に対する操作者としての反応による、手動による情報取得も、操作者が起点となる場合に含める。
【００５９】
本処理シーケンスは、制御監視機能１４４、操作変換機能１３６、操作記録保存解析機能１３８、システム１画面表示機能１１７、システム１入手力操作機能１１６、システム２画面表示機能２１７、システム２画面表示機能２１６、以上７種類の機能により、処理される。
【００６０】
まず、システム１の表示操作端末１０１は、入出力操作機能１１６により、マウスやキーボードやディスプレイ装置と連動し操作を検知する（Ｓ８０１）。続いて、システム１の表示操作端末１０１は、入出力操作機能１１６により、検知結果を整理し、システム移行支援装置１０３の操作変換機能１３６に送信する。操作に基づきボタンが押されたことを示すなどの画面変更が必要な場合、システム１の表示操作端末１０１は、入出力操作機能１１６により、画面表示機能１１７に処理を引き継ぐ。
【００６１】
次に、操作変換機能１３６が、検知結果を受信し、その内容に基づき操作変換する（８０３）。操作変換は、操作手順表１３７を検索し、システム１、システム２の操作手順表１３７ａと１３７ｂを取得し、システム２を対象とした操作手順を決定する。
次に、システム移行支援装置１０３は、操作変換機能１３６により、上記の検索結果および操作変換結果を操作記録保存解析機能１３８に処理を引き継ぐ。システム移行支援装置１０３は、操作記録保存解析機能１３８により、受信した結果を整理し変換処理記録を行う（Ｓ８０４）。なお変換処理記録の例は図６に示した通りである。
【００６２】
続いて、システム移行支援装置１０３は、操作変換機能１３６により、操作通知するために、システム２の表示操作端末１０３の入出力操作機能１２６に処理要求を行う（Ｓ８０５）。システム２の表示操作端末１０３は、入出力操作機能１２６により、処理要求に基づく画面表示命令を作成し画面表示処理要求を行う（Ｓ８０６）。
【００６３】
最後に、先の画面表示処理要求に基づき、画面表示機能２１７は画面表示を行う（Ｓ８０７）。
【００６４】
また、システム移行支援装置１０３は、操作変換機能１３６により、システム１の表示操作端末１０１から、受信した検知結果を、制御監視装置１０４に操作処理信号として転送する（Ｓ８０８）。制御監視装置１０４は、制御監視機能１４４により、受信した操作処理信号をもとに各種処理を行う（Ｓ８０９）。
【００６５】
なお、これ以降の制御監視機能１４４による応答処理は、図７で示したシステムの制御機能が起点となる場合の処理シーケンスと同様である。
【００６６】
図９にシステム移行支援装置１０３の操作記録保存解析機能１３８のフローチャートを示す。システム移行支援装置１０３は、操作記録保存解析機能１３８により、システム１とシステム２の操作の変換処理を記録し、本システムを用いる操作者がシステムにどこまで対応可能であるかを解析する。図９は後者の解析について示す。
【００６７】
システム移行支援装置１０３は、操作記録保存解析機能１３８により、ユーザと判定時間を指定する（Ｓ９０１）。本処理はシステム移行支援装置１０３の操作入出力装置１３２を用いて入力しても良いし、通信入出力装置１３１を介して外部からネットワークを経由して入力しても良い。
【００６８】
次に、システム移行支援装置１０３は、操作記録保存解析機能１３８により、前ステップで指定した条件のすべて記録を抽出し、順次、想定操作処理IDと実行操作処理IDは 等しいかを判定する（Ｓ９０２）。等しくない場合（Ｓ９０２：ＮＯ）、操作処理の不整合回数が加算される（Ｓ９０３）。
【００６９】
続いて、システム移行支援装置１０３は、操作記録保存解析機能１３８により、指定条件での記録をすべて判定したかを確認する（Ｓ９０４）。全てを判定していない場合（Ｓ９０４：ＮＯ）、次の記録が想定操作処理IDと実行操作処理IDが、等しいかを判定される（Ｓ９０２）。全てを判定している場合（Ｓ９０４：ＹＥＳ）、操作処理の不整合回数や指定条件を整理し、処理を終了する（Ｓ９０５）。
【００７０】
上記の処理で整理した（Ｓ９０５）記録を用いれば、ユーザがどこまでシステム移行が進んでいるかを判定できる。例えば、訓練シミュレータで状態変化が起こり必要な計測値を取得するようなシナリオだった場合、応答速度や他方のシステムでの操作や表示をどこまで参考したかで、システム移行の度合いを定量化できる。
【００７１】
また、旧システム（システム２）の操作をしてしまった場合は、新システム(システム１)での適切な動作が後ほど再度表示させることも可能である。この場合は、操作記録１３９から旧システム（システム２）の操作している部分を抽出し、図７や図８で示した処理シーケンスを用いて実行することができる。
＜効果＞
上述した実施例１によれば、事前に膨大なマニュアルを読むことなく、特別な訓練用シミュレータなどの練習を行うことなく、新システムと旧システムの操作の意義および操作の差を理解することが可能である。
【００７２】
また、新システムと旧システムの操作の意義および操作の差を早期に理解するため、遅延操作の可能性を低減させ得る。
【００７３】
また、旧システムとは操作体系が異なる安価な汎用品を組合せて提供された新システムに対して、低コストでのシステム移行が可能となる。
【００７４】
また、旧システムで操作した回数から、習熟度を判定でき、操作者を効果的なシステム移行の教育が可能となる。
【実施例２】
【００７５】
図１０に実施例２のシステム構成図を示す。実施例１と異なる点は、旧システムの制御監視装置１０６が存在する点と制御監視装置１０４に、閉塞機能１４７が増えた点である。その他の構成は、実施例１と同様である。この場合は新システムと旧システムが共存する。ただし、旧システムと新システムでの制御監視が重複する防止するため、制御監視装置１０４または、制御装置が外部の装置やシステムに対して実効命令をする場合に、互いに排他的処理を行う閉塞機能１４７と閉塞機能１５７が設けられている。
【００７６】
ステップ７０１で、監視制御装置１０４または、監視制御装置１０６が状態変化を確認した後、他方の制御装置１０６から閉塞要求が来ていないことを前提に、一方が他方に状態変化を確認しているか否かを問い合わせ、他方の当該状態変化に関する処理を閉塞させる。例えば、監視制御装置１０４が状態を確認した後、監視制御装置１０６に問い合わせ、状態変化に関する処理を閉塞させる。後の処理は、図７のフローと同じ処理になる。
＜効果＞
上述した実施例２によれば、事前に膨大なマニュアルを読むことなく、特別な訓練用シミュレータなどの練習を行うことなく、新システムと旧システムの操作の意義および操作の差を理解することが可能である。
【００７７】
また、新システムと旧システムの操作の意義および操作の差を早期に理解するため、遅延操作の可能性を低減させ得る。
【００７８】
また、旧システムとは操作体系が異なる安価な汎用品を組合せて提供された新システムに対して、低コストでのシステム移行が可能となる。
【００７９】
また、旧システムで操作した回数から、習熟度を判定でき、操作者を効果的なシステム移行の教育が可能となる。
また、閉塞機能により、旧システムと新システムとの制御監視の重複を防止することが可能である。
【００８０】
上述した複数の実施形態は、本発明の説明のための例示であり、本発明の範囲を実施形態に限定する趣旨ではない。当業者は、本発明の要旨を逸脱することなしに、他の様々な態様で本発明を実施することができる。
【００８１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、SSD（Solid State Drive）等の記録装置、または、ICカード、SDカード、DVD等の記録媒体に置くことができる。
【符号の説明】
【００８２】
１０１…システム１（新システム）の表示操作端末
１０２…システム２（旧システム）の表示操作端末
１０３…システム移行支援装置
１０４…制御監視装置
１０５…ネットワーク
１０６…制御対象機器
１１１、１２１、１３１、１４１…通信入力装置
１１２、１２２、１３２…操作入出力装置
１１３、１２３、１３３、１４３…中央演算装置
１１４、１２４、１３４、１４２…メモリ
１１５、１２５、１３５、１４４…記憶装置
１１６、１２６…操作入出力機能
１１７、１２７…画面表示機能
１３６…操作変換機能
１３７…操作手順表
１３８…操作記録保存解析機能
１３９…操作記録
１４５…制御監視機能
１４６…制御監視用データベース
【図１】
2016149033.tif 000003
【図２】
2016149033.tif 000004
【図３】
2016149033.tif 000005
【図４】
2016149033.tif 000006
【図５】
2016149033.tif 000007
【図６】
2016149033.tif 000008
【図７】
2016149033.tif 000009
【図８】
2016149033.tif 000010
【図９】
2016149033.tif 000011
【図１０】
2016149033.tif 000012